(57)【特許請求の範囲】
【請求項１】
計測対象であるコンクリート構造体の中に配設され、硬化したコンクリートと一体に挙動する媒体部であってガラス繊維強化プラスチックでできたものと、
ガラス繊維強化プラスチック製の前記媒体部に貼り付けられる計測部と、を含むことを特徴とする、
コンクリートのひずみ計測器。
【請求項２】
計測対象であるコンクリート構造体の中に配設され、硬化したコンクリートと一体に挙動する媒体部であってガラス繊維強化プラスチックでできたものと、
前記媒体部に対して取り付けられる計測部と、を含むコンクリートのひずみ計測器であって、
前記媒体部は、表面に細骨材を貼り付けてなることを特徴とする、
コンクリートのひずみ計測器。
【発明の詳細な説明】
【０００１】
【発明の属する技術分野】
本発明は、マスコンクリートの内部挙動調査やモデル供試体におけるひび割れ状態の把握等に用いられるコンクリートのひずみ計測器に関する。
【０００２】
【従来の技術】
従来におけるコンクリートのひずみ計測は、コンクリート打設前に、計測対象であるコンクリート構造体の中に設計上配設される鉄筋に対してひずみ計測器としてのひずみゲージを貼り付けておく方法が知られている。
【０００３】
かかるコンクリートのひずみ計測方法は、予めひずみゲージを鉄筋に貼り付けておくだけで、簡易に硬化したコンクリート内部のひずみ計測ができるので、マスコンクリートの内部挙動調査やモデル供試体におけるひび割れ状態の把握等に広く用いられてきた。
【０００４】
【発明が解決しようとする課題】
しかしながら、このタイプのコンクリートのひずみ計測方法では、コンクリート構造体中の所定部位にひずみゲージを配設すべく媒体物として鉄筋が用いられるため、コンクリートと鉄筋との挙動の違いに基づく以下のような問題がある。
【０００５】
即ち、鉄筋が降伏後に塑性を示すようになった場合には、ひずみゲージから得られる計測データは鉄筋の挙動の影響を受けて求めたいコンクリートのひずみとは異なってしまう。
【０００６】
一方、ひずみゲージを配設すべき部位に鉄筋が存在しない場合には、止むを得ず鉄筋を増設してこれにひずみゲージを貼り付けることとなるが、この増設した鉄筋がコンクリート構造体に対して補強効果を与えてしまう。
【０００７】
従って、本発明が解決しようとする課題は、計測データを安定的に得ることができ、加えて、コンクリート構造体に対して補強効果を与えないコンクリートのひずみ計測器を提供することにある。
【０００８】
【課題を解決するための手段】
本発明に係るコンクリートのひずみ計測器は、計測対象であるコンクリート構造体の中に配設され、硬化したコンクリートと一体に挙動する媒体部であってガラス繊維強化プラスチックでできたものと、ガラス繊維強化プラスチック製の前記媒体部に貼り付けられる計測部と、を含むことを特徴としている。
【０００９】
本発明に係るコンクリートのひずみ計測器によれば、硬化したコンクリートと一体に挙動するガラス繊維強化プラスチック製の媒体部に対して計測部を取り付けるので、鉄筋の挙動の影響を受けることがなく、それ故に、計測データを安定的に得ることができる。また、鉄筋を増設してこれに計測部を取り付けることもないため、コンクリート構造体に対して補強効果を与える不都合も生じない。
このような技術的手段において、前記媒体部としては、硬化したコンクリートと一体に挙動するものであってガラス繊維強化プラスチック製のものであれば、形状、構造の別は問わない。
【００１０】
第二発明に係るコンクリートのひずみ計測器は、硬化したコンクリートとの一体性をより高めるという観点から、計測対象であるコンクリート構造体の中に配設され、硬化したコンクリートと一体に挙動する媒体部であってガラス繊維強化プラスチックでできたものと、前記媒体部に対して取り付けられる計測部と、を含むコンクリートのひずみ計測器であって、前記媒体部は、表面に細骨材を貼り付けてなることを特徴としている。
【００１１】
【発明の実施の形態】
以下、添付図面に示す実施の形態に基づいて本発明を詳細に説明する。
【００１２】
◎実施の形態１
図１は本発明の実施の形態１に係るコンクリートのひずみ計測器の概略構成を示す斜視図である。
【００１３】
この実施の形態１において、コンクリートのひずみ計測器は、同図に示すように、媒体部１と、計測部２と、を含むものとして構成されている。以下、各構成要素について説明する。
【００１４】
（１）媒体部１
媒体部１は、計測対象であるコンクリート構造体（図示外）中の所定部位に計測部２を配設するという目的を達成するためにコンクリート構造体の中に配設されるものである。
【００１５】
この実施の形態１における媒体部１は、図１に示すように、円環形状を呈しており、内側面１ａ及び外側面１ｂが形成されている。このような媒体部１の形状は、計測目的、計測場所、計測方向等に応じて適宜選定することができる。
【００１６】
媒体部１の内側面１ａ及び外側面１ｂには、計測部２たる長尺ひずみゲージ２ａが交互に貼り付けられている。長尺ひずみゲージ２ａを交互に貼り付けたのは、ひずみを点のみならず、線で計測しようとしたものである。
【００１７】
また、媒体部１は、硬化したコンクリート（図示外）と一体に挙動をするような作用を奏することができるものである。
【００１８】
これは、計測部２が取り付けられる媒体部１が硬化したコンクリートと異なった挙動をする場合には、計測部２から得られる計測データは異なった挙動をする媒体部１の影響を受けてしまい、計測データを安定的に得ることができるという本発明の効果を享受できないためである。また、媒体部１の剛性が大きく硬化したコンクリートと異なった挙動をする場合には、コンクリート構造体に対して補強効果を与えてしまい、コンクリート構造体に対して補強効果を与えないという本発明のもう一つの効果を享受できないためでもある。
【００１９】
更に、このような作用を奏することができる媒体部１は、ガラス繊維強化プラスチックでできたものとして構成されている。
【００２０】
これは、硬化したコンクリートと一体に挙動をするような作用を奏する媒体部１の材料としては、コンクリート構造体中の鉄筋等への人力による取り付けが不可欠という施工上の要請を踏まえれば、現状では軽量で取り扱いが容易なガラス繊維強化プラスチック以外に想定し難いことに加えて、ガラス繊維強化プラスチックによれば、線形弾性的な挙動をすること、及び計測データを少なくとも数万マイクロまで安定的に得られることが実験上確認されているためである。尚、鉄筋であれば、２０００マイクロを超えると（降伏すると）、計測データを安定的に得られないことになる。
加えて、ガラス繊維強化プラスチックによれば、材料の配合などを変えることにより、媒体部１の形状、剛性等を自由に選定することができるためである。
【００２１】
この実施の形態１において、媒体部１は、表面、即ち、内側面１ａ及び外側面１ｂに細骨材たる砂１ｃを貼り付けてなるものとなっている。具体的には、計測部２が取り付けられた状態における媒体部１の内側面１ａ及び外側面１ｂに対してエポキシ樹脂等（図示外）で砂１ｃを接着するようにした。
【００２２】
これは、媒体部１と硬化したコンクリートとの一体性をより高めようとしたためである。尚、砂１ｃの接着に用いたエポキシ樹脂等が、媒体部１のみならず、媒体部１に取り付けられた計測部２をも被覆することから、エポキシ樹脂等で砂１ｃを接着することは、計測部２を保護することにもなる。
【００２３】
尚、媒体部１は、具体的には、コンクリート打設前において、コンクリート構造体の中に設計上配設される鉄筋（図示外）や、コンクリート構造体に係る型枠（図示外）に対して取り付けられることになる。
【００２４】
（２）計測部２
計測部２は、媒体部１に対して取り付けられるものである。この実施の形態１における計測部２としては、長尺ひずみゲージ２ａが用いられている。
【００２５】
即ち、計測部２たる長尺ひずみゲージ２ａは、上述したように、媒体部１の内側面１ａ及び外側面１ｂに交互に貼り付けられている。これにより、ひずみを点で計測するのみならず、線で計測することができることになる。
【００２６】
従って、この実施の形態１に係るコンクリートのひずみ計測器によれば、硬化したコンクリートと一体に挙動するガラス繊維強化プラスチック製の媒体部１に計測部２を取り付けたため、鉄筋の挙動の影響を受けないで、計測データを安定的に得ることができる。
また、鉄筋を増設してこれに計測部２を取り付けることもないため、コンクリート構造体に対して補強効果を与えるという不都合を生じない。
【００２７】
◎実施の形態２
図２は本発明の実施の形態２に係るコンクリートのひずみ計測器の概略構成を示す斜視図である。尚、実施の形態１と同様の構成要素については実施の形態１と同様の符号を付してここではその詳細な説明を省略する。
【００２８】
この実施の形態２に係るコンクリートのひずみ計測器は、図２に示すように、実施の形態１と略同様であるが、実施の形態１と異なり、計測部２として、長尺ひずみゲージ２ａではなく、光ファイバー１２ａが用いられている。
【００２９】
この実施の形態２における光ファイバー１２ａは、ひずみを点で計測するのみならず、線で計測することができる点で、実施の形態１における長尺ひずみゲージ２ａと同様の作用を奏するものである。
【００３０】
また、この実施の形態２においても、計測部２を取り付けた状態で媒体部１の内側面１ａ及び外側面１ｂに砂１ｃをエポキシ樹脂等で接着する点や、該エポキシ樹脂等が、媒体部１のみならず、媒体部１に取り付けられた計測部２をも被覆する点を構成上の特徴点としており、この点でも、実施の形態１と同様の作用を奏するものである。
【００３１】
従って、この実施の形態２に係るコンクリートのひずみ計測器によれば、実施の形態１に係るコンクリートのひずみ計測器と同様の作用、効果を享受することができる。
【００３２】
【発明の効果】
本発明によれば、以上のように構成したため、計測データを安定的に得ることが可能になる。加えて、コンクリート構造体に対して補強効果を与える不都合も生じない。
【図面の簡単な説明】
【図１】本発明の実施の形態１に係るコンクリートのひずみ計測器の概略構成を示す斜視図である。
【図２】本発明の実施の形態２に係るコンクリートのひずみ計測器の概略構成を示す斜視図である。
【符号の説明】
１…媒体部
１ａ…内側面
１ｂ…外側面
１ｃ…砂（細骨材）
２…計測部
２ａ…長尺ひずみゲージ
１２ａ…光ファイバー
【図１】
0004388208.tif 000002
【図２】
0004388208.tif 000003